(57)【特許請求の範囲】
【請求項１】
記録媒体を内蔵したカセットを装着して前記記録媒体に信号の記録または再生を行う装置であって、
小型カセットと大型カセットとを選択的に装着可能であり、
これらカセットを挿入する挿入口を前面に設け、
前記カセットを前記装置から取り出し可能な第１の位置及び記録再生可能な第２の位置へ保持しつつ案内するカセットキャリアと、前記大型カセットの係止手段を有し前記カセットキャリアに相対的に移動可能に設けられたサブカセットキャリアと、前記大型カセットが移動する空間内に一部が露出し前記大型カセットを前記挿入口から排出されない位置で一時停止させる停止位置と前記大型カセットが移動する空間外に全てが退避した退避位置とを移動可能なカセット一時停止手段とからなるカセットホルダー装置。
【請求項２】
小型カセットと大型カセットが選択的に装着できるカセットホルダー装置であって、前記小型カセットを挿入もしくは取り出し可能な第１の位置から記録再生可能な第２の位置へ案内するカセットキャリアと、前記大型カセットの係止手段を有し前記カセットキャリアに相対的に移動可能なサブカセットキャリアと、前記大型カセットが移動する空間内に一部が露出し前記大型カセットを前記挿入口から排出されない位置で一時停止させる停止位置と前記大型カセットが移動する空間外に全てが退避した退避位置とを移動可能なカセット一時停止手段とからなるカセットホルダー装置。
【請求項３】
小型カセットと大型カセットが選択的に装着できるカセットホルダー装置であって、前記小型カセットを挿入もしくは取り出し可能な第１の位置から記録再生可能な第２の位置へ案内するカセットキャリアと、前記大型カセットの係止手段を有し前記カセットキャリアに相対的に移動可能なサブカセットキャリアと、前記小型カセットが移動する空間内に一部が露出し前記大型カセットを前記挿入口から排出されない位置で一時停止させる停止位置と前記小型カセットが移動する空間外に全てが退避した退避位置とを移動可能なカセット一時停止手段と、前記カセット一時停止手段を前記小型もしくは大型カセットが前記第２の位置にあるときに前記停止位置とする一時停止制御手段とからなるカセットホルダー装置。
【請求項４】
前記カセット一時停止手段は、前記挿入口の少なくとも一部を覆う位置に配置されている、請求項１から３に記載のカセットホルダー装置。
【発明の詳細な説明】
【０００１】
【発明の属する技術分野】
本発明は、記録再生装置などに使用されるテープカセットを記録再生可能な位置へ案内するカセットホルダー装置に関する。
【０００２】
【従来の技術】
カセットサイズの異なる複数のカセットを選択的に使用する装置においては、大型カセット及び小型カセットの大きさの差、特に奥行き方向の差を起因としてカセット取り出し時におけるユーザーの適切な掴み代の確保が問題となる。小型カセットに十分な掴み代を確保しようと設定すると、大型カセットではそれは飛び出しすぎてしまう。また大型カセットで十分な掴み代とすると小型カセットは掴み代が十分でないという問題を起こす。
【０００３】
そこで、これらの問題を解決する方法として、特開平９−１８０３２７「カセット式記録再生装置」が提案されている。同公報の図１を用いて、以下この発明について説明する。同公報図１に示すように大きさ及び厚さの異なる複数種類のテープカセット１及び２を用いるカセット記録再生装置において、カセット排出機構の排出ストロークをテープカセットの厚みの差を利用して切り替える排出ストローク切り替え手段を備えたものである。そして、カセットイジェクト時でのカセット強制排出量を小型カセット１は大きく、大型カセット２は小さくするものである。
【０００４】
この発明のカセット式記録再生装置は、大きさＤ１、Ｄ２及び厚みＨ１、Ｈ２が異なる２種類のテープカセット１、２をカセット排出手段である同じカセット排出レバー８を用いて排出するカセット排出機構１６とこれらのテープカセット１、２の厚みＨ１、Ｈ２の差を利用してそのカセット排出レバー８によるカセット排出ストロークを切り替える排出ストローク切り替え手段１７を備えている。
【０００５】
そして同公報図１（Ａ）に示すように厚みＨ１が小さい小型テープカセット１のイジェクト時には、カセット排出レバー８による小型テープカセット１のカセットステージ６に対する矢印ａ‘方向への排出ストロークＳ１１を大きくして、カセットステージ６がカセット挿入位置Ｐ１へ復帰したイジェクト完了時点では小型テープカセット１の後端１ｂのフロントパネル３外への突出量Ｌ１を大きくし、その後に、その小型テープカセット１の後端１ｂを手で容易につまんでフロントパネル３外へ容易に抜き取ることができる。
【０００６】
一方、同公報図１（Ｂ）に示すように、厚みＨ２が大きい大型テープカセット２のイジェクト時には、カセット排出レバー８による大型テープカセット２のカセットステージ６に対する矢印ａ‘方向への排出ストロークＳ１２を小さくして、カセットステージ６がカセット挿入位置Ｐ１へ復帰したイジェクト完了時点では大型テープカセット２の後端２ｂのフロントパネル３外への突出量Ｌ５が過大にならないように、この突出量Ｌ５を十分小さくできるようにしたものである。
【０００７】
カセットの圧着機構は、図示しないが、カセットステージ６に取り付けられており、フロントパネル３のカセット挿入口４を内側から開閉する開閉蓋１２に構成されている。開閉蓋１２の下端側で左右方向ほぼ中央部の両側には小型カセット１を圧着するための左右一対のカセット圧着部１３が一体で成形されている。
【０００８】
さらに開閉蓋１２には大型カセット２を圧着するための左右一対のカセット圧着部１４が一体成形されている。この開閉蓋１２は、カセットローディング開始前では、開閉蓋バネ３９によって閉蓋位置にある。カセットローディング時には小型及び大型テープカセット１、２をカセット挿入口４を通してカセットステージ６内に挿入する際にカセットによって開閉蓋を押し開く。そして、カセットを挿入基準位置まで挿入して停止する。この開閉蓋１２をカセット圧着バネ３７によってカセットの上面に圧接させる。これによりカセットはカセットステージ６に圧着されて保持される。このカセットと共にカセットステージ６が挿入位置Ｐ１からＰ２を経て装着位置Ｐ３に至る。
【０００９】
【発明が解決しようとする課題】
本発明が解決を図るための第1の課題は、従来のカセット排出機構が大型及び小型のカセット厚の差を利用した排出ストローク切り替え手段であるために、厚さの差のない同一厚さの大型及び小型カセットについては、適用が不可能であるという点である。
【００１０】
本発明の第1の目的は、上記の問題点を解決するために成されたものであり、小型カセットを保持し案内する手段と大型カセットを保持する手段を独立に構成し、同じ厚さのカセットであっても大型カセットの移動ストロークを小型カセットの移動ストロークよりも少なくすることができるカセットホルダー装置を提供するものである。
【００１１】
本発明が解決を図るための第２の課題は、フロントパネルのカセット挿入口を覆う開閉蓋がカセット押さえと共用しているためにカセットが記録再生位置にあるときには、フロントパネル部のカセット挿入口を覆うものがなく、ましてや２個目のカセットの挿入防止を行うことができないという点である。
【００１２】
本発明の第２の目的は、上記の問題点を解決するために成されたものであり、記録再生位置にカセットがあってもフロントパネル部を覆いかつ２個目のカセットが間違って投入されないように挿入防止機構を設けたカセットホルダー装置を提供するものである。
【００１３】
【課題を解決するための手段】
第１の課題を解決するための、本発明の第１の手段は、小型カセットを保持して案内するカセットキャリアと大型カセットの係止手段を有したサブカセットキャリアを相対的に移動可能に設けて、かつ大型カセットの一時停止手段を構成した。そのために大型カセットを排出方向で一時強制停止させカセットの装置外への排出量を少なくすることができる
第２の課題を解決するための、本発明の第２の手段は、カセットの移動空間内に露出してカセットを一時停止させてカセットの排出量を小さくすると共に、記録再生位置にカセットがあるときに、その一時停止手段をカセット移動空間に露出させたので、その状態では他のカセットが挿入口から挿入できない、２重挿入禁止機構を設けた
【００１４】
【発明の実施の形態】
本発明は、小型カセットと大型カセットが選択的に装着できるカセットホルダー装置であって、前記小型カセットを挿入もしくは取り出し可能な第１の位置から記録再生可能な第２の位置へ案内するカセットキャリアと、前記大型カセットの係止手段を有し前記カセットキャリアに相対的に移動可能なサブカセットキャリアと、前記大型カセットが移動する空間内に一部が露出し前記大型カセットを前記挿入口から排出されない位置で一時停止させる停止位置と前記大型カセットが移動する空間外に全てが退避した退避位置とを移動可能なカセット一時停止手段とからなるカセットホルダー装置であって、カセット一時停止手段でカセット排出動作時に大型カセットを一時停止させ小型カセットの排出ストロークよりも小さくして、大型カセットが装置外へ排出される量を小さくするという作用を有するものである。
【００１５】
本発明は、小型カセットと大型カセットが選択的に装着できるカセットホルダー装置であって、前記小型カセットを挿入もしくは取り出し可能な第１の位置から記録再生可能な第２の位置へ案内するカセットキャリアと、前記大型カセットの係止手段を有し前記カセットキャリアに相対的に移動可能なサブカセットキャリアと、前記小型カセットが移動する空間内に一部が露出し前記大型カセットを前記挿入口から排出されない位置で一時停止させる停止位置と前記小型カセットが移動する空間外に全てが退避した退避位置とを移動可能なカセット一時停止手段と、前記カセット一時停止手段を前記小型もしくは大型カセットが前記第２の位置にあるときに前記停止位置とする一時停止制御手段とからなるカセットホルダー装置であって、カセット一時停止手段で大型カセットの排出量を減らすと共に大型もしくは小型カセットが記録再生位置にある場合にこのカセット一時停止手段により挿入口の一部を覆い他のカセットが挿入できないという作用を有するものである。
【００１６】
以下、本発明の実施形態について、図面を用いて説明する。
【００１７】
記録フォーマットが同じであるが記録時間の異なる複数のカセットを使用するシステムがいくつか存在する。本発明の実施例の場合もこの様なシステムの１つで、例えばサイズの異なる３つのカセットを使用する場合として以下説明を進める。３つのカセットは、サイズの大きいほうからＬカセット、Ｍカセット、Ｓカセットと以下称する。
【００１８】
まずこの３つのカセットは、記録時間に対応してテープ長が異なり、結果リールへのテープ巻径がそれぞれ異なる。そのため、２つのリールのリール間ピッチもまたそれぞれ異なる。Ｌカセット１０１は前方中央部に２個の共通の位置決め孔１０１ｂ、１０１ｃを有している。他のカセットも同じ位置決め孔を有しており、この位置決め孔を共通位置にして３つのカセットを配置すると、図２に示すように、供給リール１０１ｇと巻き取りリール１０１ｈ間に架張されたテープを引き出すための引き出しポストが挿入可能な開口部１０１ａ、１０２ａ、１０３ａが３つのカセットでほぼ同じ位置となる。
【００１９】
これらの３つのカセットは、いずれも同じ厚さで構成されている。しかし図からわかるように、Ｍカセット１０２はＬカセット１０１の空間内にあり、Ｓカセット１０３はＭカセット１０２の空間内にある。また、左右方向では、中心線Ｙを中心に左右同一幅である。この図では、前面に架張する磁気テープを覆うフロントリッドを図示していないが、このフロントリッドを閉じた状態にロックするフロントリッドロック爪は、各カセットの前方左右位置１０１ｄ、１０１ｅ、１０２ｄ、１０２ｅ、１０３ｄ、１０３ｅにそれぞれ存在する。
【００２０】
図３、図４にてＬカセット１０１のフロントリッドロック機構を説明するが、基本的には、他のカセットＳカセット１０３、Ｍカセット１０２も同様の構成である。図２のＫ−Ｋから見た図が、図３及び図４である。Ｌカセット１０１のフロントリッドロック爪１０４は、軸１０４ｂを中心に回動自在に支持されており、図示しないバネにより矢印Ｌ方向に付勢されている。その先端にある爪部１０４ａがフロントリッド１０５の一部に係合してフロントリッド１０５を図３の状態にロックしている。
【００２１】
これに対して、メカニズム側の解除爪１０６がＭ方向から進入してくると、フロントリッドロック爪１０４は、バネ（図示せず）に抗して時計方向に回動してＬカセットの側壁部１０１ｆに一端が当接して停止する。つまり、Ｌカセット１０１は、フロントリッドロック爪１０４を解除爪１０６と側壁部１０１ｆに挟まれた位置で停止し、位置が規定される。図５は、その解除爪１０６を含めて、メカニズム側の構成を表わしているが、詳細はメカニズムの構成の中で説明する。
【００２２】
この様な構成のＬカセット１０１、Ｍカセット１０２、Ｓカセット１０３をユーザーが取り出し可能な位置（取り出し可能な第１の位置）から記録再生可能な位置（記録再生可能な第２の位置）へそれぞれ直接案内が可能なカセットホルダー機構の構成を図６以降説明する。
【００２３】
図６は、このカセットホルダー機構の概観図で、主に全体の駆動機構を示している。機構は、左右に右側板１０７、左側板１０８と天面に天板１０９を備えてなる。左側板１０８に駆動源であるモータ１１０を含めて歯車機構１１１が構成されている事を除けば左側板１０８も右側板１０７と基本的には同じような構成を成している。
【００２４】
後述するメインホルダーを案内するＬ字溝１０７ａとスライド孔１０７ｂ、１０７ｃを備える。天板１０９は、４本のネジ１５２によって、右側板１０７、左側板１０８に固定されている。Ｌカセット１０１、Ｍカセット１０２、Ｓカセット１０３は、Ｎ方向から挿入、または、取り出しが可能となっている。カセットを保持したメインホルダーは図示するＰ方向にまず水平に移動し、その後垂直に移動を行う。これによって、カセットを所定位置に強固に位置決めし、内包する磁気テープを引き出し、記録再生が可能な状態に移行することが出来る。
【００２５】
無論、カセット取り出しは、矢印Ｐとは逆方向にまず上昇し、水平に後退後、Ｎの方向からユーザーが取り出すことが可能となる。
【００２６】
カセットの取り出しや、挿入を行うカセット挿入案内機構１１２が図７である。図７の状態は、カセットが装置に装着される以前の状態である。挿入案内機構１１２には、Ｌカセット１０１の横幅Ｇ３の幅とＬカセット１０１の厚さよりも若干大きい高さの開口部を有するフロントパネル１１３とその開口部を覆うブラインダパネル１１４補助ブラインダ１１５が、設けられている。またＳカセット１０３の横幅Ｇ３を挟んで両サイドにＳカセットガイド機構１１６、Ｍカセット１０２の横幅Ｇ２を挟んで両サイドにＭカセットガイド機構１１７が配置されている。Ｓカセットガイド機構１１６及びＭカセットガイド機構１１７は、左右に対称形状構成であり、それぞれ左右連動して上下に移動可能に構成されている。フロントパネル１１３は、中央部上下にくぼみ１１３ａ、１１３ｂを形成しているが、これは、カセットを掴みやすくするためのものである。
【００２７】
図８は、Ｌカセット１０１、Ｍカセット１０２、Ｓカセット１０３を保持して記録再生位置と取り出し可能位置間を往復動するメインホルダー機構１１８である。メインホルダー機構１１８は、コの字形状のカセットキャリアであるホルダー１１９とホルダー１１９の右側板部１１９ａ、左側板部１１９ｂを連結するスイッチ基板１２０とからなる。ホルダー１１９には、Ｓカセット１０３の横幅Ｇ３を挟んで両サイドにＳホルダーガイド機構１２１、Ｍカセット１０２の横幅Ｇ２を挟んで両サイドにＭホルダーガイド機構１２２が構成されている。またＬカセット１０１は、右側板部１１９ａ、左側板部１１９ｂによって案内されるが、Ｌカセット１０１に係合して前後に移動するサブホルダー機構１２３が右側板部１１９ａ、左側板部１１９ｂの近傍に設けられている。また、右側板部１１９ａ、左側板部１１９ｂにカセットを下方に押圧するカセット押さえ機構１２７が回動自在に構成されている。スイッチ基板１２０には、Ｓカセット１０３、Ｍカセット１０２、Ｌカセット１０１をそれぞれ検出可能なＳカセット検知スイッチ１２４、Ｍカセット検出スイッチ１２５、Ｌカセット検出スイッチ１２６が、設けられている。
【００２８】
次に図１８〜２０で駆動機構を説明する。図１９に示す様に、モータ１１０の出力は、歯車機構１１１を介してウォーム軸１４２に伝えられる。ウォーム軸１４２は、両端を回転自在に支持され、中央部でウォーム歯車１４３を一体的に構成している。このウォーム歯車１４３にはラックが歯合している。このラックは、相手がウォームであるため、ウォームの進み角だけねじれ角を有したいわゆるハスバ歯形となっている。つまりラックはハスバラック１４５なのである。これで、ウォームとラックという組み合わせながら、スムーズに駆動力の伝達が可能である。このハスバラック１４５は、メインラック板（Ｓ）１４４に植設された２本のハスバラック軸２３９にガイドされてスライド自在に支持されている。
【００２９】
そして、ラックバネ１４６により、ハスバラック１４５はＡ方向に付勢されている。メインラック板（Ｓ）１４４には、傾斜溝（Ｆ）１４４ａ、傾斜溝（Ｒ）１４４ｂと中央上部に同期軸１４７を回動自在に支持するための軸受け１４８を備えている。左側板１０８にはＬ字溝１０８ａと２本のスライド孔１０８ｂ、１０８ｃが構成されているが、スライド孔１０８ｃには、同期軸１４７が係合している。さらにＬ字溝１０８ａには、ホルダー軸Ａ１５０がメインラック板（Ｓ）１４４の傾斜溝（Ｒ）１４４ｂを貫通して係合している。
【００３０】
図１８に示すようにモータ軸に固着されたモータギア１６５、中継ギア１６６、出力ギア２３０、カサ歯車（Ａ）１６７、カサ歯車（Ｂ）１６８と連結しており、モータ出力が伝達されていく。出力ギア２３０とカサ歯車（Ａ）１６７は一体構成である。カサ歯車（Ａ）１６７とカサ歯車（Ｂ）は９０度の角度で噛み合っている。カサ歯車（Ｂ）１６８は、ウォーム軸１４２に圧入されており、ウォーム歯車１４３と一体的に回転する。同期軸１４７の両端には差動ギア（Ｓ）１６１と差動ギア（Ｔ）１６２が一体的に構成されている。
【００３１】
そして、それぞれ、右側板１０７と左側板１０８に固定された、固定ラック（Ｓ）１６３と固定ラック（Ｔ）１６４に歯合している。ハスバラック１４５とともにメインラック板（Ｓ）１４４が移動すると、メインラック板（Ｓ）１０８に設けられた軸受け１４８ によって同期軸１４７が移動させられる。この時に同期軸１４７に差動ギア（Ｓ）１６１が一体的に構成されているために、固定ラック（Ｓ）１６３によって差動ギア（Ｓ）１６１と同期軸１４７は回転させながら移動する、つまり転動することとなる。その回転力は、差動ギア（Ｔ）１６２に伝達され、その回転力で、固定ラック（Ｔ）１６４に対して相対的に移動する力となり、同期軸１４７の差動ギア（Ｔ）１６２側を移動させる。その結果、同期軸１４７を支持するメインラック板（Ｔ）２３１を移動させる。このようにして、左右のメインラック板（Ｓ）１４４（Ｔ）２３１は同期して移動することが出来る。メインラック板（Ｓ）１４４とメインラック版（Ｔ）２３１は、蹴り出しプレート１７５のラック固定部１７５ａ、１７５ｃにネジ固定されているために、左右のメインラック板（Ｓ）１４４（Ｔ）２３１と蹴り出しプレート１７５と一体構成である。
【００３２】
図２１に示すようにサブホルダー機構１２３は、ホルダー１１９の底面に配置され、２本のホルダーガイドピン１８９によってホルダー１１９に対して前後にスライド自在に支持された中継部材であるサブホルダープレート１８１と、そのサブホルダープレート１８１に対してスライド自在に支持されたサブカセットキャリアであるＬリッドロック解除爪レバー１９１からなる。サブホルダー１８１は、通常サブホルダーバネ１８０によって、Ｕ方向に付勢されている。また、Ｌリッドロック解除爪レバー１９１は、Ｌカセット１０１のフロントリッド１０５のロックを行うフロントリッドロック爪１０４に相対してロックを解除するロック解除爪１９１ｄをサブホルダープレート１８１及びホルダー１１９を貫通してカセット空間に露出している。そして、解除爪バネ１９０によってサブホルダープレート１８１に対してＶ方向に付勢されている。よって通常は、サブホルダープレート１８１は、ホルダーガイドピン１８９にガイド孔１８１ｂの一端が係止した図２１の位置関係にある。同様にＬリッドロック解除爪レバー１９１はロック解除爪１９１ｄが、サブホルダープレート１８１の爪規制孔１８１ｃの一端に係止した図２１の位置関係にある。１９２は、Ｌカセットが挿入されたことを報知するＬ挿入検知スイッチ（カセット位置検知スイッチ）である。
【００３３】
図１２は、すでに記録再生位置にカセットがあるときに、他のカセットを間違って挿入しないようにするためのカセット２重挿入防止を説明する図である。なおカセット２重挿入防止機構は、後述するLカセットの一時停止機構と兼用である。
【００３４】
図１２はカセット挿入側から見た図であるが、すでに１つのカセットが記録再生可能位置にある場合の構成である。Ｓカセットガイド（Ｓ）１２８、（Ｔ）１２９、Ｍカセットガイド（Ｓ）１３３、（Ｔ）１３２は、バネによって、上方位置にある。これは、カセットが挿入されていない状態と同じである。ブラインダパネル１１４もまたカセットが挿入されていない状態と同様、バネによってカセット開口部を覆っている。しかし、図７でブラインダパネル１１４の中央の切り欠き部にあった補助ブラインダ１１５の位置には、挿入防止パネル２０４が位置している。この挿入防止パネル２０４は、図１２、１３，１４のように上方に付勢された状態では図１にある様にLカセット１０１、Mカセット１０２、Sカセット１０３が移動する空間内に一部が露出している。そのため例えばLカセット１０１をフロントパネル部１１３から挿入することもできないし、逆に記録再生位置から排出されたLカセット１０１もこの挿入防止パネルでその排出が停止される。
【００３５】
この構成をさらに詳細に図１３及び１４にて説明する。ガイド基板１３１にネジ固定されたパネルガイドプレート２０５は、挿入防止パネル２０４（カセット一時停止手段）の周囲を覆う構成であり、挿入防止パネル２０４を上下にスライド可能に支持している。挿入防止パネル２０４の中央部には、係合長孔２０４ａが形成され、パネル駆動レバー２０６の一端に植設されたパネル駆動軸２１１に係合している。パネル駆動レバー２０６はパネルガイドプレート２０５の植設されたレバー軸２０９に回動自在に支持されており、他端に駆動アーム２０７（一時停止制御手段）の駆動ピン２０８に係止可能な当接部２０６ａを有している。また、この駆動アーム２０７は、右側板１０７に植設されたアーム支軸２１２に回動自在に支持され、同じく右側板１０７に植設された２本のアームガイド軸２１０に位置規制されている。通常パネル駆動レバー２０６は、Ｚ方向にバネによって付勢されており、挿入防止パネル２０４は図１３に示すように上方に位置している。そのため、ブラインダパネル１１４にブラインダ軸１１５ａ、１１５ｂによって回動自在に支持された補助ブラインダ１１５は、挿入防止パネル２０４によって後方へ回動させられている。よって、図１２の状態では、ブラインダパネル１１４の下方には補助ブラインダ１１５ではなく挿入防止パネル２０４が位置している。ブラインダパネル１１４は、パネル支軸によりフロントパネル１１３に回動自在に支持されている。そして図示しないバネによってＸ方向に付勢されている。また補助ブラインダ１１５も図示しないバネによってＹ方向に付勢されている。
【００３６】
図１５に、ブラインダ駆動機構を示す。右側板１０７に植設された軸によって、ブラインダ駆動レバー２１３と連結アーム２１４は、軸受け孔２１３ａ、２１４ａを中心に回動自在に支持されている。連結アーム２１４は、一端がブラインダ駆動レバー２１４に係合し、他端の駆動ピン部２１４ｂがブラインダパネル１１４に当接している。この駆動機構によって、ブラインダパネル１１４と補助ブラインダ１１５をバネに抗して回動させ、カセット挿入口を開放する。
【００３７】
以上の構成のカセットホルダー機構についてその動作を以下説明する。まず、カセットの移動軌跡について、図９及び図１７で説明する。図９は、カセットが、取り出し可能位置と記録再生可能位置を側面から示した図である。（ａ）は、Ｓカセット１０３とＭカセット１０２を便宜上重ねて表示したものである。Ｓカセット１０３ｓ、Ｍカセット１０２ｓ（実線で示す）はそれぞれのカセットをホルダー１１９に挿入した位置である。この状態からカセットを水平方向に寸法Ａだけ移動し、寸法Ｔだけ垂直方向に移動した結果が想像線で示すＳカセット１０３ｐとＭカセット１０２ｐである。Ｍ１、Ｍ２で示す線は、各カセットの位置決め孔（Ｌカセット１０１では図２に示す１０１ｂ、１０１ｃ）を示すものである。この位置決め孔は記録再生位置では全てのカセットで共通であるため、今Ｌカセットの記録再生時での位置をＭ２の位置に合わせて１０１ｐとし、水平方向の移動量をＡ、垂直方向の移動量をＴとすると、当然図（ｂ）のように、カセット挿入位置は、実線で示す１０１ｓとなる。カセットは、取り出し時にカセット蹴り出し機構でホルダーの移動量よりも少しだけ多く水平移動を行う。その蹴り出し量を仮にＨとおく。そうすると最も小さいカセットＳカセット１０３は、カセット取り出し時には、（ａ）に示す想像線となり、フロントパネル１１３のくぼみ１１３ａ、１１３ｂの底面位置１１３ｃからＪ１だけ突出した位置になる。Ｍカセット１０２は、長さＪ２となり、Ｌカセット１０１は長さＪ３となる。これは、それぞれカセットの大きさの差がそのまま長さ差になっている。最も小さいカセットであるＳカセット１０３では、その長さＪ１を取り出すに必要な最低限の長さを確保すると、Ｌカセット１０１での飛び出し長さＪ３はカセットのサイズ差分だけ長くなり、非常に大きな飛び出し量となる。この様な大きな飛び出し量Ｊ３は、フロントパネル１１３の前の空間を非常に大きく必要とする。例えば、カセットを多数収納して、必要なカセットを自動的に選択して装置に送り込むいわゆる、カートマシンでは、待機すべきカセット２０１とフロントパネル１１３の距離をＪ４としたときには、当然Ｊ４＞Ｊ３という関係でなくてはならない。そのため、そのままカートマシンの大型化を招く事となる。
【００３８】
また、実線で示す１０１ｓの位置がカセット吸い込みスタートの位置となるが、Ｌカセット１０１はＪ３−Ｈだけ飛び出しているので、ユーザーが無理にカセットを挿入しても装置が破壊しないように防止するために設ける挿入方向のダンパーストロークも非常に大きくなりメカニズムの構成が非常に難しくなる。
【００３９】
その様な問題を解決する為には、水平方向のストロークを減らすことが必要である。そこで、本発明では、（ｃ）に示すようにＬカセット１０１の蹴り出し完了位置をＭカセット１０２と同じとした。これによって、Ｌカセット１０１を使用することによる寸法的なデメリットは解消される。これを実現するには、Ｌカセット１０１の場合だけ水平ストロークを他のカセットの水平ストロークＡよりもＣだけ短くしてＢとしなければいけない。その様な基本的な考え方に沿って、Ｌカセット移動機構の考え方を示したのが図１７である。この図では、中心線を挟んで上にＭカセット１０２を下にＬカセット１０１を重ねて表示した。水平移動のストロークについての説明なので、垂直移動は割愛した。図１７の（ａ）は、図９の（ａ）と同じ、ホルダー１１９へカセットを挿入完了し挿入完了のスイッチが動作する位置である。図１７の（ｇ）は蹴り出し完了位置であり、Ｍカセット１０２ｋとＬカセット１０１ｋの背面が同一面になっていることがわかる。図１７の（ｆ）は蹴り出し直前の位置で（ａ）と同じ位置関係である。今Ｌカセット１０１の蹴り出しストロークを１１．５ｍｍ、Ｍカセット１０２の蹴り出しストロークを１４ｍｍとすると、（ａ）でのＬカセット１０１ｃとＭカセット１０２ｃの背面は相対的に２．５ｍｍの差がある。その状態から、水平全ストロークＡに対してＢだけ移動後、Ｌカセット１０１は、その位置１０１ｄで停止する。Ｍカセット１０２は、全ストロークＡだけ移動し１０２ｄから１０２ｅへと至る。ＬカセットはＣ＝Ａ−Ｂの区間は停止しているので、１０１ｅも１０１ｄと同じ位置である。この後垂直移動に移る。記録再生可能位置でのＬカセット１０１とＭカセット１０２の相対位置関係は、（ｃ）の位置関係である。再びカセット取り出し指令に従ってカセットが上昇を完了した位置は、（ｃ）の位置である。この位置からストロークＤだけＭカセット１０２、Ｌカセット１０１は後退し、１０２ｆ、１０１ｆの位置となる。この位置で、再びＬカセット１０１を停止させる。その停止間にＭカセットは１０２ｆから１０２ｇへとストロークＣだけ移動する。そのストローク移動が完了して（ｅ）の位置関係になったら、Ｌカセット１０１の停止を解除する。よって以降再びＭカセットと同様ストロークＦだけ移動し、Ｌカセットは１０１ｈにＭカセットは１０２ｈに至る。この移動ストローク間中に蹴り出し機構が作用して、Ｍカセット１０２は１４ｍｍ、Ｌカセット１０１は１１．５ｍｍけりだされ、（ｇ）の位置に至る。この位置でカセット取り出し操作は完了する。つまり、Ｍカセット１０２がＡだけ水平移動する間にＬカセット１０１を一時的にＣだけ停止させる区間を設けるのである。これによって、Ｌカセット１０１は水平移動ストロークをＢ（＝Ａ−Ｃ）に減らすことが出来る。
【００４０】
この様な考え方に沿ったカセットホルダー機構の動作を以下説明する。Ｍカセット１０２をカセット取り出し位置から記録再生位置に案内する場合について説明する。図７の状態で、Ｍカセット１０２を挿入する。この図７の状態では、駆動アーム２０７がホルダー駆動機構によって、図１３のＧ方向に最大回動しているために、駆動ピン２０８がパネル駆動レバー２０６を反時計方向（Ｚ方向と逆方向）に回動させ挿入防止パネル２０４をバネに抗して図１６の如く押し下げている。よって、挿入防止パネル２０４はＭカセット１０２の移動空間外（開口部の中央に位置しているので、Sカセット１０３、Lカセット１０１の移動空間外でもある）にありＭカセット１０２の挿入の障害となることはない。つまり、挿入防止パネル２０４は、カセットの移動空間外の退避位置ある。また、フロントパネル１１３のカセット開口部には、ブラインダパネル１１４と補助ブラインダ１１５が位置している。特に補助ブラインダ１１５は、図１６にあるように挿入防止パネル２０４の上方に位置してブラインダパネル１１４の切り欠き部１１４ｂを覆っている。
【００４１】
Ｍカセット１０２の横幅は、Ｇ２である。よって、Mカセットガイド機構１１７に沿って案内されながら挿入することとなる。Ｓカセットガイド（Ｓ）１２８、Ｓカセットガイド（Ｔ）１２９は、Ｍカセットガイド（Ｓ）１３３、Ｍカセットガイド（Ｔ）１３２よりも少しだけ奥に位置している。よって、まずＭカセット１０２は、Ｍカセットガイド（Ｔ）１３２、Ｍカセットガイド（Ｓ）１３３の挿入案内部１３２ｂ、１３３ｂに案内されながら進入していくこととなる。
さらにＭカセット１０２を挿入していくと、Ｍカセット１０２は、ブラインダパネル１１４に当接し、ブラインダパネル１１４を図１５と同様（図１５は、連結アーム２１４によって強制的に回動させられているが）パネル支軸１１４ａを中心にバネに抗してＭカセット１０２自身で回動させる。さらにＭカセット１０２を挿入していくと、ホルダー１１９に至り、図８の左右のＳホルダーガイド機構１２１をカセット自身でカセット下方に退避させながらＭカセット１０２は進入していく。そうしてMカセット１０２は、図８にあるMホルダーガイド（Ｔ）１９６、Mホルダーガイド（Ｓ）２３５に案内されながらさらに挿入されていく。やがて、Ｍカセット１０２のフロントリッドの回動をロックしているリッドロック爪がＭリッドロック解除爪レバー１９７の爪部１９７ｂに当接する。図４でＬカセット１０１のフロントリッドロック爪１０４について説明したが、Ｍカセット１０２でも同様にフロントリッドロック爪がＭカセット１０２の側壁部に当接することによって、Ｍカセット１０２の進入方向の位置を決める構造となっている。このＭカセット１０２の挿入で、Ｍカセット１０２の上面部によりカセット押さえ機構１２７のカセット押さえ軸１７７が、アーム支軸１７８を中心に回動させられ、結果Ｍカセット１０２をホルダー１１９の底面に対して弾性的に付勢する。この付勢力でＭカセット１０２をホルダー１１９が保持して以下一体的に移動させられていく。
【００４２】
Ｍカセットが最終位置まで挿入されると、モータ１１０に通電されモータギア１６５、中継ギア１６６、カサ歯車（Ａ）１６７、カサ歯車（Ｂ）１６８、ウォーム歯車１４３へと回転力が伝達される。ウォーム歯車１４３の回転によって、これに噛み合うハスバラック１４５をＡ方向（図１９、図１８）に移動させる。ハスバラック１４５とともに、ハスバラック軸２３９を介してメインラック板（Ｓ）１４４も一体的にＡ方向に移動させる。メインラック板（Ｓ）１４４に構成された軸受け１４８を介して同期軸１４７をもＡ方向に移動させる。メインラック板（Ｓ）１４４は、この同期軸１４７とラック板軸１５３が左側板１０８のスライド孔１０８ｂ、１０８ｃに係合しているのでそのスライド孔に沿って水平に（Ａ方向に）移動する。同期軸１４７は、差動ギア（Ｓ）１６１と固定ラック（Ｓ）１６３により回転しながらＡ方向へ進むことになり、いわゆる転動という動きをする。このため、同期軸１４７を介して、差動ギア（Ｓ）１６１の相対した位置にある差動ギア（Ｔ）に回転力を伝達する。差動ギア（Ｔ）１６１と固定ラック（Ｔ）により、差動ギア（Ｔ）側もＡ方向に前進する推力を得る。これが、メインラック板（Ｔ）２３１をＡ方向に移動させる力となる。よって、メインラック板（Ｓ）１４４とメインラック板（Ｔ）２３１は、同期してＡ方向に進むことが可能となる。
【００４３】
メインラック板（Ｔ）２３１が少し進むと、その移動からブラインダ駆動レバー２１３を図１５のＥ方向に回動させる変位を得て、連結アーム２１４の駆動ピン部２１４ｂを時計方向に回動させる。ブラインダパネル１１４はＭカセット１０２によってすでに回動されているが、この駆動ピン２１４ｂによってさらにブラインダパネル１１４をパネル支軸１１４ａを中心に回動させ、ブラインダパネル１１４はＭカセット１０２から離間して保持されることとなる。
【００４４】
さらにメインラック板（Ｔ）２３１が進み、Ｍカセット１０２が完全にブラインダパネル１１４や挿入防止パネル２０４位置を通過した後、メインラック板（Ｔ）２３１の移動に連動して、図１３、１４に示す駆動アーム２０７をＧ方向とは逆方向の反時計方向に回動させる。それによって、駆動ピン２０８によるパネル駆動レバー２０６のＧ方向への回動付勢力が開放され、パネル駆動レバー２０６は、図示しないバネによってＺ方向に回動させられる。パネル駆動軸２１１によって挿入防止パネル２０４は上方へ移動させられ、挿入防止パネル２０４の一端がパネルガイドプレート２０５に当接して弾性的に付勢された状態で保持される。図では、補助ブラインダ１１５と挿入防止パネル２０４が接触しているが、この時点ではまだブラインダパネル１１４は、開放されているために図１５のような関係にあり干渉は起きていない。
【００４５】
連結アーム２１４にてカセット挿入空間から退避させられた位置に保持されていたブラインダパネル１１４は、水平移動完了ポイント前後で再びカセット開口部を覆う位置に復帰する。それはブラインダ駆動レバー２１３が駆動機構によって時計方向に回動させられて、連結アーム２１４を押圧することがなくなり、ブラインダパネル１１４は、バネによって時計方向に回動、カセット開口部を覆う図１４の姿勢に復帰する。なお、この時に補助ブラインダ１１５は、挿入防止パネル２０４が図１３、図１４のようにバネで上方に付勢されているために、挿入防止パネル２０４に当接した位置で停止する。この状態をフロントパネル１１３の前面からから見ると図１２となる。カセット開口部はブラインダパネル１１４と挿入防止パネル２０４、Ｓカセットガイド（Ｓ）１２８、Ｓカセットガイド（Ｔ）１２９、Ｍカセットガイド（Ｓ）１３３、Ｍカセットガイド（Ｔ）１３２によって覆われている。
【００４６】
Ｍカセット１０２が、記録再生可能な位置にある時には、図１２、図１４の如く、カセット開口部はブラインダパネル１１４と挿入防止パネル２０４、Ｓカセットガイド（Ｓ）１２８、Ｓカセットガイド（Ｔ）１２９、Ｍカセットガイド（Ｓ）１３３、Ｍカセットガイド（Ｔ）１３２によって覆われている。そこで、例えばこのときにＳカセット１０３をカセット開口部から挿入しようとすることを考えて見る。Ｓカセット１０３をその本来の位置であるＧ１の範囲で挿入すると、図１に示すように挿入防止パネル２０４に当接する。挿入防止パネル２０４は、パネルガイドプレート２０５にガイドされバネにより上方に付勢されているという簡単な構造であるが、図１３のＦ方向からＳカセット１０３挿入の力を受けても、挿入防止パネル２０４は、下降することはない。また、Ｓカセット１０３を側面から挿入しようとしてもこの挿入防止パネル２０４は中央に位置しているために同じように侵入は許されない。このように最も小さいＳカセット１０３をいずれの姿勢でも挿入することはできない。
【００４７】
挿入防止パネル２０４は、単に上方にバネ付勢しているだけなので、ユーザーが挿入防止パネル２０４を上方から押さえれば簡単に下げることができる。さらにブラインダパネル１１４もまたバネ付勢されているだけなので、簡単に開放させることができる。つまり、ユーザーが望めば、簡単にカセット開口部は開放させることができる。
【００４８】
カセット取り出し指令が発せられると、モータ１１０が逆に回転して、歯車機構１１１を介してウォーム歯車１４３を回転させ、ハスバラック１４５を図１８の矢印Ａとは逆方向に移動させる。こうして、ホルダー１１９は左側板１０８のＬ字溝に沿って上昇を開始する。上昇動作を完了し、水平動作に入る前後で、ブラインダパネル１１４を再び、図１５の示すように連結アーム２１４により強制的に開放させる。その状態で、ホルダー１１９を水平移動させて、後退させていく。挿入防止パネル２０４は、Mカセット１０２が挿入防止パネル２０４を通過する以前にMカセット１０２の移動空間外の退避位置に移動させられる。またブラインダパネル１１４もMカセット１０２がブラインダパネル１１４の下を通過した後のモータ停止直前に開放を解除してバネにより開口部を覆うことが可能になる。やがて、Mカセット１０２はカセット取り出し可能な位置に至り、モータは通電を停止し、駆動機構は停止する。
【００４９】
次に最も大きなカセットであるＬカセット１０１を挿入した場合について説明をする。これについても基本的な動作は、Ｍカセット１０２の場合と同じであるが、重複を避けるために、異なる部分を中心に説明を進める。
【００５０】
まず、Ｌカセット１０１をカセット開口部に挿入する。Ｌカセットは、図７のＧ３に相当する幅を有しているので、Ｓカセットガイド機構１１６、Ｍカセットガイド機構１１７をも含んでしまう。よってSカセットガイド機構１１６及び、Mカセットガイド機構１１７をカセット自身で移動空間外の下方へ付勢して進入していく。この時にＬカセット１０１は、フロントパネル１１３の側壁面１１３ｃに案内されて進入していく。さらにブラインダパネル１１４も回動させて、ホルダー１１９に至る。さらにＬカセット１０１を挿入させていくと、Ｌカセット１０１のフロントリッドロック爪１０４がＬリッドロック解除爪レバー１９１のロック解除爪１９１ｄに当接。ロック解除爪１９１ｄを解除爪バネ１９０に抗して後退させる。さらに進むとロック解除爪１９１ｄは、ホルダー１１９に形成された爪逃げ孔１１９ｃの端面部１１９ｋに当接してＬカセット１０１の挿入は完了する。（図１１）この時には、Ｍカセット１０２の場合と同様、フロントリッドロック爪１０４が解除爪１０６（ロック解除爪１９１ｄ）に押されて側壁部１０１ｆに当接してＬカセット１０１の進入方向の位置が規制される。この最終位置に至るとモータに通電の指令を発する。
【００５１】
このＬカセット１０１の進入でＬカセット１０１の天面にカセット押さえ軸１７７が作用して、Ｌカセット１０１をホルダー１１９に押し付けている。図２１に示すようにＬカセット１０１のＬリッドロック解除爪レバー１９１のロック解除爪１９１ｄはＭリッドロック解除爪レバー１９７の爪部１９７ｂよりも前方にあるため、Ｌカセット１０１は、Ｍカセット１０２よりも前方にまで挿入ができる。その差は、図１７における図（ａ）の位置関係である。Ｍカセット１０２とＬカセット１０１はカセット奥行きの差が２３ｍｍあるにも関わらずカセットをホルダー１１９に挿入した状態では、カセットの背面は相対的に２．５ｍｍとほぼ同じ位置となるまでＬカセット１０１がＭカセット１０２よりもたくさん挿入されていることがわかる。この差がほぼそれぞれのリッドロック解除爪の位置差である。その状態で、さらに水平移動を進めると、図１１のサブホルダープレート１８１の係止部１８１ａが右側板１０７や左側板１０８を固定している基板（図示せず）の一部のサブカセットキャリア停止手段であるホルダーストッパー（図示せず）に当接する。そのため、サブホルダー１８１はそれ以上の移動はできなくなる。サブホルダープレート１８１が停止後もホルダー１１９は水平移動を続ける。よって、サブホルダー１８１は２本のホルダーガイドピン１８９に案内されながら、その位置に停止してサブホルダーバネ１８０が引き伸ばされていく。
【００５２】
この様に、ホルダー１１９は、左側板１０８Ｌ字溝１０８ａの水平溝１０８ｅの範囲は水平移動を続けるが、サブホルダー１８１はその中途で停止させるため、Ｌカセット１０１も水平移動の途中で停止させられる。こうして、ホルダー１１９が水平溝１０８ｅを移動完了した位置では、ホルダーとともに移動するＭカセット１０２のフロントリッドの前面部と途中で停止させられたＬカセット１０１のフロントリッドの前面部はほぼ同一面となる。図１７で説明すると、Ｍカセット１０２は、ホルダー１１９とともにストロークＡだけ移動する。Ｌカセット１０１は、ストロークＢだけ移動したところで、停止させられる。よって、Ｍカセット１０２がストロークＡを移動完了した時には図（ｃ）の様になる。最初にユーザーがＬカセット１０１をＭカセット１０２よりも多く挿入したその差だけ、Ｌカセット１０１を停止させるという考え方である。この後、ホルダー１１９が垂直移動に移ると、サブホルダープレート１８１の係止部１８１ａはホルダーストッパーに当接したまま摺動しながら下降していく。その後、Ｌカセット１０１を高さ決めピンに圧着させる動作は、Ｍカセット１０２と同じなので、割愛する。このカセット装着動作での挿入防止パネル２０４の動きはMカセット１０２の時と全く同じで、挿入開始時には、図１６のようにLカセット１０１の移動空間外に強制的に退避させられている。しかしLカセット１０１がこの挿入防止パネル２０４の上方を通過すると、挿入防止パネル２０４の一部がLカセット１０１の移動空間内に露出して図１、図１３、１４、１５のように上方に移動した停止位置にバネにより復帰させられる。その状態のまま、Lカセット１０１は記録再生位置に至るので、記録再生状態では挿入防止パネル２０４がフロントパネル１１３開口部の中央の一部を覆うことになり、Mカセット１０２のときに説明したようにSカセット１０３を含めどのカセットも挿入することができない。つまり２重挿入防止機能を有するものである。
【００５３】
カセット取り出し指令が発せられた後の動作も基本的には、Ｍカセット１０２の場合と同じであるが、サブホルダー１８０関連とＬカセット１０１の動きが多少異なるのでその点を中心に説明する。
【００５４】
垂直移動が完了して、水平動作に移ると、ホルダー１１９は水平溝１０８ｅに沿って後退をしていくが、サブホルダー１８１はサブホルダーバネ１８０によって、サブホルダーストッパーに当接を続けるが、やがてサブホルダー１８１もホルダー１１９と一体になって後退をする。サブホルダー１８１にＬリッドロック解除レバー１９１はバネ付勢されかつ位置規制がされているために、Ｌリッドロック解除レバー１９１はサブホルダー１８１とともに停止した状態が一定区間続く。一方Lカセット１０１は、カセット押さえ軸１７７によってホルダー１１９に押圧されているため、その摩擦力でホルダー１１９とともに後退をする。よってＬカセット１０１のフロントリッドロック爪１０４とロック解除爪１９１ｄ間には相対的に距離ができる。
【００５５】
やがて、Lカセット１０１は、その背面部が挿入防止パネル２０４に当接する。（図１）Ｌカセット１０１は摩擦力で移送されていたので、ホルダー１１９はその後も水平移動を続けるが、Ｌカセット１０１はこの挿入防止パネル２０４によって一時停止させられる。図１７で説明すると、垂直移動が完了した（ｃ）の図の位置から後退を開始し、Ｌカセット１０１は距離Ｄだけ後退した後、挿入防止パネル２０４によってＭカセット１０２が（ホルダー１１９が）距離Ｃだけ移動する時間だけ停止させられる。実質は距離Ｃの移動が完了する直前に一時停止制御手段によって、駆動アーム２０７を時計方向に（Ｇ方向）回動、駆動ピン２０８を介してパネル駆動レバー２０６が反時計方向に（Ｚ方向と逆方向）回動する。それによって、挿入防止パネル２０４は下降して、Ｌカセット１０１の移動空間外に退避する。結果Ｌカセット１０１は再びホルダー１１９とともに後退を始める。しかし、この一時停止でLカセット１０２の水平ストロークは短くなり、図１７の（ｇ）にあるように最終的にはMカセット１０２とその背面位置が同じとなる。
【００５６】
【発明の効果】
以上のように本発明によれば、大型カセット（Ｌカセット）の挿入方向のストッパーとなる係止手段（Ｌリッドロック解除爪）を有したサブカセットキャリア（Ｌリッドロック解除爪レバー）が、小型カセット（ＳもしくはＭカセット）を保持するカセットキャリア（ホルダー）に対して相対的に移動可能に構成してあるので、ホルダーを直接に駆動して水平方向に一定量移動させたときに、Ｌリッドロック解除爪レバーは、何らかの手段により水平方向の移動ストロークを容易に変えることができる。つまりＬカセットとＭカセット（Ｓカセット）に任意の移動ストロークを簡単に与えることができる。また、一時停止手段（挿入防止パネル）を設けたので、Lカセット１０１が摩擦力でカセットキャリアと共に排出されてきてもこの一時停止手段によりLカセット１０１を一時的に強制的に停止させるので、確実にLカセットの排出方向のストロークを短くすることができる。結果実施例でも説明したようにカセット排出完了位置では、両カセットの背面部の位置をほぼ同等にできるほど大きな改善をすることができる。さらに言えば、ストロークを自由に設定できるわけだから、Ｌカセットの飛び出し量を実施例よりもさらに小さくしてＳカセットと同じにすることもできる。
【００５７】
また、Ｌカセット１０１をこの一時停止機構で確実にストロークを減少させることができるので、Ｍカセット１０２やＳカセット１０３の搬送手段であるホルダー１１９に保持して同様に搬送する構成とすることができる。もしこの一時停止機能がなければ、Ｌカセット１０１は、ホルダー１１９の下面にあるサブホルダープレート１８１と一体的に動く構成をとらざるを得ず、例えばサブホルダー１８１をホルダー１１９の上面に配置するなどの制限がでてくる。この一時停止機構でその必要もなく構成が実施例のように非常にシンプルになる。
【００５８】
また、本発明によれば、一時停止手段（挿入防止パネル）をカセットが記録再生位置にあるときもカセットの移動空間にその一部を露出させているので、他のカセットを間違って挿入することを防止することができる。この２重挿入防止とＬカセットの排出を一時的に停止させて水平移動ストロークの減少を図るという機能を兼用して設けているので、部品点数を少なくして合理的なメカニズムの設計が可能となっている。
【図面の簡単な説明】
【図１】Ｌカセット排出時の一時停止中での挿入防止パネル構成図
【図２】Ｓ、Ｍ、Ｌカセットの平面図
【図３】Ｌカセットのリッドロック機構ロック状態図
【図４】Ｌカセットのリッドロック機構ロック解除状態図
【図５】Ｍカセット挿入時のホルダーガイド機構正面図
【図６】カセットホルダー装置主要部の構成図
【図７】カセット挿入開口部カセット未挿入状態図
【図８】カセットホルダー外観図
【図９】カセット移動軌跡説明図
【図１０】カセット未挿入でのサブホルダー機構構成図
【図１１】Ｌカセット挿入完了時のサブホルダー機構構成図
【図１２】カセットが記録再生可能位置にあるときのフロントパネル部の正面図
【図１３】カセットが記録再生可能位置にあるときのフロントパネル部の構成図
【図１４】カセットが記録再生可能位置にあるときのフロントパネル部の構成図
【図１５】駆動機構の左側面サイドの構成図
【図１６】Ｌカセット排出時の一時停止中での挿入防止パネル構成図
【図１７】カセット移動説明図
【図１８】左右同期をとる駆動機構構成図
【図１９】駆動機構構成図
【図２０】左右のメインラック板構成図
【図２１】カセット未挿入でのＳ／Ｍホルダーガイド機構構成図
【符号の説明】
１０１  Ｌカセット
１０２  Ｍカセット
１０３  Ｓカセット
１１９  ホルダー
１２３  サブホルダー機構
１８１  サブホルダープレート
２０４  挿入防止パネル
２０７  駆動アーム
【図１】
0004114356.tif 000002
【図２】
0004114356.tif 000003
【図３】
0004114356.tif 000004
【図４】
0004114356.tif 000005
【図５】
0004114356.tif 000006
【図６】
0004114356.tif 000007
【図７】
0004114356.tif 000008
【図８】
0004114356.tif 000009
【図９】
0004114356.tif 000010
【図１０】
0004114356.tif 000011
【図１１】
0004114356.tif 000012
【図１２】
0004114356.tif 000013
【図１３】
0004114356.tif 000014
【図１４】
0004114356.tif 000015
【図１５】
0004114356.tif 000016
【図１６】
0004114356.tif 000017
【図１７】
0004114356.tif 000018
【図１８】
0004114356.tif 000019
【図１９】
0004114356.tif 000020
【図２０】
0004114356.tif 000021
【図２１】
0004114356.tif 000022